(57)【要約】 【課題】  表示手段を有する携帯電話機やその他の携帯端末の消費電流をより一層削減する。【解決手段】  表示手段２６を有する携帯端末において、表示手段２６として、表示領域のうちの一部の領域のみを駆動状態にして残りの領域を非駆動状態にする部分表示機能を有するものを用い、この表示領域のうちの一部の領域で表示を行うか全ての領域で表示を行うかを選択する選択手段２８と、選択手段２８によって一部の表示領域で表示を行うことが選択されたことに基づき、表示手段２６に部分表示を行わせるとともに、表示手段２６のリフレッシュレートを、全ての表示領域で表示を行うときのリフレッシュレートよりも下げる制御手段２１及び２７とを備える。【選択図】  図４   
2005156746.tif 000002
【特許請求の範囲】
【請求項１】
表示手段を有する携帯端末において、
前記表示手段は、表示領域のうちの一部の領域のみを駆動状態にして残りの領域を非駆動状態にする部分表示機能を有しており、
前記表示領域のうちの一部の領域で表示を行うか全ての領域で表示を行うかを選択する選択手段と、
前記選択手段によって一部の表示領域で表示を行うことが選択されたことに基づき、前記表示手段に前記部分表示を行わせるとともに、前記表示手段のリフレッシュレートを、全ての表示領域で表示を行うときのリフレッシュレートよりも下げる制御手段と
を備えたことを特徴とする携帯端末。
【請求項２】
請求項１に記載の携帯端末において、
前記選択手段は、待受画面として、一部の領域で表示を行う画面を選択する操作が可能な操作手段であることを特徴とする携帯端末。
【発明の詳細な説明】
【技術分野】
【０００１】
本願発明は、表示手段を有する携帯端末に関し、特に消費電流の削減を図ったものに関する。
【背景技術】
【０００２】
携帯電話機のような携帯端末は、バッテリーを電源とするため、連続使用可能な時間を伸ばすために消費電流の削減が望まれる。そのためには、特に、文字や画像を表示するディスプレイでの消費電流を削減することが重要である。
【０００３】
従来、液晶ディスプレイ（ＬＣＤ）を用いた携帯端末において、その消費電流を削減するための方法としては、ＬＣＤに部分表示（パーシャル表示）機能を付与することが提案されていた（例えば、特許文献１及び２参照。）。
【０００４】
部分表示機能とは、液晶パネルの表示領域のうちの一部の領域のみを駆動状態にして残りの領域を非駆動状態にしたり、さらには、バックライトを複数に分割して駆動状態の領域に対応するバックライトのみを点灯する機能である。
【０００５】
一部の表示領域にだけ文字等を表示すれば足りる場合には、ＬＣＤを通常の表示モード（液晶パネルの全表示領域を駆動状態にするモード）からこの部分表示モードに切り替えることにより、ＬＣＤの消費電流が削減される。
【特許文献１】特開平６−９５６２１号公報（段落番号００１３〜００３２、図３〜図６）
【特許文献２】特開平１１−１８４４３４号公報（段落番号００２６〜３５、図１〜図４）
【発明の開示】
【発明が解決しようとする課題】
【０００６】
しかし、近年、携帯電話機などに設けられるＬＣＤは、画質の向上を目的として、ＴＦＤ（薄膜ダイオード）型液晶パネルよりもＴＦＴ（薄膜トランジスタ）型液晶パネルを用いたものが主流となっている。
【０００７】
ＴＦＤ型液晶パネルは消費電流が数百μＡ程度であるのに対し、ＴＦＴ型液晶パネルは消費電流が数ｍＡ乃至１０数ｍＡ（ＴＦＤ型の１０倍以上）になるので、従来のように部分表示を行ったとしても、携帯電話機にとって消費電流が少ないとはいえない。
【０００８】
さらに、待受画面として部分表示モードで時計等を表示する画面を選択可能な携帯電話機では、ＬＣＤを全く駆動しない状態の画面（ノーマリーブラックでは全黒の画面）を待受画面として選択した場合と比較して、連続待受時間がかなり短くなってしまう。
【０００９】
本願発明は、上述の点に鑑み、ＬＣＤのような表示手段を有する携帯電話機やその他の携帯端末において、消費電流をより一層削減できるようにすることを課題としてなされたものである。
【課題を解決するための手段】
【００１０】
この課題を解決するために、本願発明に係る携帯端末は、表示手段を有する携帯端末において、この表示手段は、表示領域のうちの一部の領域のみを駆動状態にして残りの領域を非駆動状態にする部分表示機能を有しており、この表示領域のうちの一部の領域で表示を行うか全ての領域で表示を行うかを選択する選択手段と、この選択手段によって一部の表示領域で表示を行うことが選択されたことに基づき、表示手段に部分表示を行わせるとともに、表示手段のリフレッシュレートを、全ての表示領域で表示を行うときのリフレッシュレートよりも下げる制御手段とを備えたことを特徴とする。
【００１１】
この携帯端末では、表示手段の一部の表示領域で表示を行うことが選択手段によって選択されると、制御手段の制御により、表示手段で部分表示が行われるとともに、表示手段のリフレッシュレートが通常の表示時におけるよりも下げられる。
【００１２】
したがって、一部の表示領域で表示を行うときには、部分表示そのものによって表示手段の消費電流が削減されることに加えて、リフレッシュレートが下がることによって表示手段の消費電流がさらに削減される。
【００１３】
これにより、一部の表示領域で表示を行うときに、消費電流を従来よりも一層削減することができるようになる。
【００１４】
また、全ての表示領域で表示を行うときにリフレッシュレートを下げたとするとユーザーがフリッカー（画面のちらつき）を認識してしまうのに対し、部分表示を行うときにリフレッシュレートを下げた場合には、一部の表示領域しか駆動状態にされないので、フリッカーを認識しにくくすることができる。
【００１５】
なお、この携帯端末において、一例として、選択手段は、待受画面として、一部の領域で表示を行う画面を選択する操作が可能な操作手段であることが好適である。
【００１６】
それにより、待受画面で、部分表示が行われるとともにリフレッシュレートが下げられることによって消費電流が削減されるようになるので、待受画面で一部の表示領域に表示を行う（例えば時計等を表示する）場合にも、連続待受時間を伸ばすことができるようになる。
【００１７】
また、待受画面はユーザーが常時注視する画面ではないので、その点からも、フリッカーをより一層認識しにくくすることができる。
【発明の効果】
【００１８】
本願発明によれば、 表示手段を有する携帯電話機やその他の携帯端末において、表示手段の一部の表示領域で表示を行うときに、部分表示を行うとともにリフレッシュレートを下げるようにしたので、消費電流を従来よりも一層削減することができ、しかもフリッカーを認識しにくくすることができるという効果が得られる。
【００１９】
また、待受画面で部分表示を行うとともにリフレッシュレートを下げることにより、待受画面で一部の表示領域に表示を行う（例えば時計等を表示する）場合にも連続待受時間を伸ばすことができるとともに、フリッカーをより一層認識しにくくすることができるという効果が得られる。
【発明を実施するための最良の形態】
【００２０】
以下、携帯電話機に本願発明を適用した例について、図面を用いて具体的に説明する。図１は、本願発明の携帯電話機の外観を示す正面図である。
【００２１】
この携帯電話機１は、電話機上部１ａと電話機下部１ｂとをヒンジで繋げた構造をしている。電話機上部１ａには、受話口２，液晶パネル３，ディスク型のジョグダイヤル４，メール釦５，発信釦６，クリア釦７，インターネット接続釦８，電源／終了釦９，マイセレクト釦１０，シャッター釦１１等が設けられている。
【００２２】
電話機下部１ｂには、その他の操作釦群（ダイヤル釦等）１２，送話口（図では表れていないが液晶パネル３の下側に位置している）等が設けられている。
【００２３】
携帯電話機１は、電話機上部１ａと電話機下部１ｂとを図２に示すように互いに平行に回動させることにより、液晶パネル３を外側に向けた状態で折り畳むことができる。
【００２４】
この携帯電話機１の待受画面としては、ジョグダイヤル４でメニュー画面を操作することにより、液晶パネル３を全く駆動しない状態の画面のほかに、図３に示すように、液晶パネル３の表示領域のうちの中央の領域にのみ日時を表示して残りの領域を全黒にする「パーシャル時計表示画面」を選択することができるようになっている。
【００２５】
図４は、携帯電話機１全体の回路構成の概要を示すブロック図である。携帯電話機１全体を制御するＣＰＵ２１と、ＣＰＵ２１が実行するプログラム等を格納したＲＯＭ２２と、画像データ等の各種データを記憶するためのＲＡＭ２３と、携帯電話機１に内蔵されたアンテナ２４を介して通信を行うための通信処理部２５と、ＬＣＤモジュール２６にＲＧＢ信号やコントロール信号を供給するＬＣＤコントローラ２７と、操作部２８（図１のジョグダイヤル４び各釦）と、カメラ部２９（携帯電話機１に内蔵されたＣＣＤカメラ及びそのコントローラ）とがそれぞれ制御ライン３２に接続されている。
【００２６】
また、ＣＰＵ２１と、ＲＯＭ２２と、ＲＡＭ２３と、通信処理部２５と、ＬＣＤコントローラ２７と、カメラ部２９と、スピーカ３０と、マイクロホン３１とがそれぞれデータライン３３に接続されている。
【００２７】
ＬＣＤモジュール２６は、図１の液晶パネル３に、液晶パネル３を駆動するドライバや、バックライトや、ＶＲＡＭ（グラフィックＲＡＭ）を組み込んだものである。液晶パネル３は、ノーマリーブラックのＴＦＴ型カラー液晶パネルである。
【００２８】
ＬＣＤモジュール２６は、液晶パネル３の表示領域のうちの一部の領域のみを駆動状態にして残りの領域を非駆動状態にし、且つ、駆動状態の領域に対応するバックライトのみを点灯する機能（部分表示機能）を有している。なお、ＬＣＤで部分表示を行う方式としては、前述の特許文献１，２やその他の各種文献に様々なものが開示されており、ＬＣＤモジュール２６はそれらのうちのいずれの方法を採用したものであってもよい。
【００２９】
ＬＣＤコントローラ２７は、液晶パネル３で通常の表示を行う（液晶パネル３の全ての表示領域で表示を行う）ときには、液晶パネル３のリフレッシュレートを６０Ｈｚに設定させる。
【００３０】
図５は、図４のＣＰＵ２１が実行する処理のうち、液晶パネル３のリフレッシュレートの制御に関連する部分の処理を示すフローチャートである。
【００３１】
この処理では、最初に、液晶パネル３で通常の表示を行っている状態から、ジョグダイヤル４の操作で待受画面として「パーシャル時計表示画面」（図３）が選択されたことにより、液晶パネル３の一部の表示領域で表示を行うべき状態に切り替わったか否かの判断（ステップＳ１）と、待受画面として「パーシャル時計表示画面」が選択されている状態から、待受画面以外の画面に移行したことなどにより、通常の表示を行うべき状態に切り替わったか否かの判断（ステップＳ２）と、液晶パネル３の表示内容を変更すべきか（例えば「パーシャル時計表示画面」では表示時刻を進めるべきか）否かの判断（ステップＳ３）とを、いずれかのステップでイエスになるまで繰り返す。
【００３２】
ステップＳ１でイエスになると、ＬＣＤコントローラ２７を介してＬＣＤモジュール２６をパーシャル表示モードに切り替える（ステップＳ４）。ＬＣＤモジュール２６は、これに基づき、図３にも示すように液晶パネル３の表示領域のうち日時が表示される中央部分の領域のみを駆動状態にして残りの領域を非駆動状態にするとともに、駆動状態の表示領域に対応するバックライトのみを点灯する。
【００３３】
ステップＳ４に続き、ＬＣＤコントローラ２７からＬＣＤモジュール２６に供給する動作クロックを変更することにより、液晶パネル３のリフレッシュレートを通常の表示時の１／２の３０Ｈｚに切り替える（ステップＳ５）。続いて、ＲＡＭ２３内の「パーシャル時計表示画面」用の画像データを、図３のように液晶パネル３の表示領域のうちの中央部分の領域に表示するデータとして、ＬＣＤコントローラ２７を介してＬＣＤモジュール２６内のＶＲＡＭに書き込む（描画する）（ステップＳ６）。そして、ステップＳ１に戻る。
【００３４】
ステップＳ２でイエスになると、ＬＣＤコントローラ２７を介してＬＣＤモジュール２６を通常の表示モード（液晶パネルの全表示領域を駆動状態にするモード）に切り替える（ステップＳ７）。続いて、動作クロックを変更することにより、液晶パネル３のリフレッシュレートを通常の表示時の６０Ｈｚに切り替える（ステップＳ８）。
【００３５】
続いて、ＲＡＭ２３内の現在の画面用の画像データを、通常通り液晶パネル３の全ての表示領域に表示するデータとして、ＬＣＤコントローラ２７を介してＬＣＤモジュール２６内のＶＲＡＭに描画する（ステップＳ９）。そして、ステップＳ１に戻る。
【００３６】
ステップＳ３でイエスになると、現在「パーシャル時計表示画面」を表示しているか否かを判断する（ステップＳ１０）。イエスであれば、ＲＡＭ２３内の次に表示すべき（表示時刻が進んだ）「パーシャル時計表示画面」用の画像データを、ステップＳ６と同様に、液晶パネル３の表示領域のうちの中央部分の領域に表示するデータとしてＬＣＤモジュール２６内のＶＲＡＭに描画する（ステップＳ１１）。そして、ステップＳ１に戻る。
【００３７】
他方ノーであれば、ＲＡＭ２３内の次に表示すべき画像データを、ステップＳ９と同様にしてＬＣＤモジュール２６内のＶＲＡＭに描画する（ステップＳ１２）。そして、ステップＳ１に戻る。
【００３８】
次に、この携帯電話機１において、ＬＣＤの消費電流が削減される様子について説明する。ユーザーが、待受画面として「パーシャル時計表示画面」を選択する操作を行うと、液晶パネル３で部分表示が行われるとともに、液晶パネル３のリフレッシュレートが、通常の表示時のリフレッシュレートの１／２である３０Ｈｚに下げられる（図５のステップＳ４，Ｓ５）。
【００３９】
したがって、待受画面として「パーシャル時計表示画面」を表示するときには、部分表示そのものによって液晶パネル３やバックライトの消費電流が削減されることに加えて、液晶パネル３のリフレッシュレートが下がることによって液晶パネル３の消費電流がさらに削減される。
【００４０】
具体的には、リフレッシュレートが６０Ｈｚであるときの液晶パネル３の消費電流が４ｍＡであったとすると、リフレッシュレートを３０Ｈｚに下げることにより、液晶パネル３の消費電流が１／２の２ｍＡ程度に削減される。
【００４１】
このように、待受画面として「パーシャル時計表示画面」を表示するときに、消費電流が大幅に削減される。
【００４２】
これにより、待受画面として「パーシャル時計表示画面」を選択した」ときにも、連続待受時間を伸ばす（液晶パネルを全く駆動しない状態の画面全黒の画面を待受画面として選択した場合との連続待受時間の差を小さくする）ことができる。
【００４３】
また、仮に、通常の表示を行うときにリフレッシュレートを下げたとすると、液晶パネル３の画素の蓄積容量の蓄積電荷量が１フレーム期間内に大きく変動する（１フレーム期間の後半には放電によって蓄積電荷量がかなり少なくなる）ことにより、ユーザーがフリッカーを認識してしまう。
【００４４】
これに対し、部分表示を行うときにリフレッシュレートを下げた場合には、この蓄積電荷量の変動が一部の表示領域だけにとどまるので、フリッカーを認識しにくくすることができる。
【００４５】
さらに、待受画面はユーザーが常時注視する画面ではないので、その点からも、フリッカーをより一層認識しにくくすることができる。
【００４６】
なお、以上の例では、待受画面として、図３に示したような「パーシャル時計表示画面」を選択可能になっている。しかし、それ以外の画面であって液晶パネル３の表示領域のうちの一部の領域で表示を行う画面を待受画面として選択可能にして、その画面が選択されたときに部分表示を行うとともに液晶パネル３のリフレッシュレートを下げるようにしてもよい。
【００４７】
あるいはまた、待受画面以外の画面として、液晶パネル３の表示領域のうちの一部の領域で表示を行う画面を選択可能にして、その画面が選択されたときに部分表示を行うとともに液晶パネル３のリフレッシュレートを下げるようにしてもよい。
【００４８】
また、以上の例では、通常の表示時のリフレッシュレートが６０Ｈｚである液晶パネル３において、部分表示時にリフレッシュレートを３０Ｈｚに切り替えている。しかし、これに限らず、通常の表示時のリフレッシュレートが６０Ｈｚである液晶パネル３において、部分表示時にリフレッシュレートを６０Ｈｚ未満の適宜のレートに下げるようにしてよい。さらに、通常の表示時のリフレッシュレートが６０Ｈｚ以外のレートである液晶パネル３において、部分表示時にリフレッシュレートをそれ未満の適宜のレートに下げるようにしてもよい。
【００４９】
また、以上の例では、表示手段としてＬＣＤを有する携帯電話機に本願発明を適用しているが、これに限らず、ＬＣＤ以外の表示手段（例えば有機ＥＬ等）を有する携帯電話機や、携帯電話機以外の携帯端末であって表示手段を有するもの（例えばＰＤＡ等）にも本願発明を適用してよい。
【図面の簡単な説明】
【００５０】
【図１】本願発明による携帯電話機の外観を示す正面図である。
【図２】図１の携帯電話機を折り畳む様子を示す図である。
【図３】図１の携帯電話機の待受画面の一例を示す図である。
【図４】図１の携帯電話機の回路構成を示すブロック図である。
【図５】図４のＣＰＵが液晶パネルのリフレッシュレートの制御に関連して実行する処理を示すフローチャートである。
【符号の説明】
【００５１】
１  携帯電話機
３  液晶パネル
４  ジョグダイヤル
２１  ＣＰＵ
２３  ＲＡＭ
２６  ＬＣＤモジュール
２７  ＬＣＤコントローラ
【図１】
2005156746.tif 000003
【図２】
2005156746.tif 000004
【図３】
2005156746.tif 000005
【図４】
2005156746.tif 000006
【図５】
2005156746.tif 000007